Podtech/llm-jp-corpus-v4-ja_patent huggingface dataset:
(57)【要約】【目的】複数の表皮片を接ぎ合わせて表皮材を形成し、この表皮材を袋状に縫製して内部にパッド成形用の発泡液を注入して表皮材にパッドを一体成形する表皮材の縫製方法において、表皮材のミシン縫いの作業性を向上することである。【構成】ミシン針Ａに二本の上糸１Ａ、１Ｂを通して二本の上糸１Ａ、１Ｂをミシン針Ａの針孔Ｈの目止め部材としたことを特徴とする。【選択図】        図３
2004174118.tif 000002
【特許請求の範囲】
【請求項１】
所定形状に裁断された複数の表皮片をミシンで接ぎ合わせて形成する表皮一体発泡用表皮材の縫製方法において、
前記ミシンのミシン針に二本の上糸を挿通して前記表皮片を接ぎ合わせて縫製することを特徴とする表皮一体発泡用表皮材の縫製方法。
【発明の詳細な説明】
【０００１】
【発明の属する技術分野】
本発明は、複数の表皮片を接ぎ合わせて形成する表皮一体発泡用表皮材の縫製方法に関する。
【０００２】
【従来の技術】
従来の車両用シートに備えられるヘッドレスト、アームレスト等には、所定形状に裁断した複数の表皮片をミシンで袋状に縫製して表皮材を形成し、この表皮材の内部にパッド成形用の発泡液を注入して、表皮材と一体にパッドを発泡成形したものがある。
【０００３】
これは、表皮材の縫製個所におけるミシン針の針孔から発泡液が外部に漏出しないように、種々の対策がとられている。
【０００４】
例えば、重ね合わせた表皮片の端縁をオーバーロック縫いしたり（特許文献１参照）、或いは、表皮材の縫い目に沿って柔軟性を有する目止め部材を縫着したり（特許文献２参照）、または、下糸を上糸に対して太くしたものが開示されている（特許文献３参照）。
【０００５】
特許文献１    特開平８ー３０９７６５号公報
特許文献２    特開平８ー２４３２７１号公報
特許文献３    特開平２ー１６４３８７号公報
【０００６】
【発明が解決しようとする課題】
従って、以上の針孔からの発泡液の漏出防止は、従来のミシンによる縫製作業に対して別個の縫製作業を要するため、縫製作業の作業性が頗る悪いし、材料費が増大する不具合があった。
【０００７】
そこで、本発明は縫製作業が簡単で、前記針孔からの発泡液の外部への漏出を完全に防止し得る表皮一体発泡用表皮材の縫製方法を提供することを目的とする。
【０００８】
【課題を解決するための手段】
以上の目的を達成するための本発明に係る表皮一体発泡用表皮材の縫製方法は、前記ミシンのミシン針に二本の上糸を挿通して前記表皮片を接ぎ合わせて縫製することを特徴とする。
【０００９】
以上の構成により、上糸を通すミシン針の針孔に二本の上糸が通されるため、針孔が二本の上糸によって塞がれる。また、二本の上糸によって、表皮片の接ぎ合わせた部分の締りが強固になる。従って、上糸のミシン針の針孔からの発泡液の漏出を防止することができる。
【００１０】
【発明の実施の形態】
以下、本発明の実施の一形態を図面に基づいて説明する。
図１は表皮材を構成する二枚の表皮片３、４の端末を揃えて重ね合わせ、端末に沿って二本の上糸１Ａ、１Ｂで表皮片３、４を縫い合わせる状態を示し、表皮片３、４は各々表面側が接合するように重ねて縫製する。
【００１１】
以上の二本の上糸１Ａ、１Ｂは、図２に示すように、一本のミシン針Ａの通孔Ａ′に挿通され、ミシン針Ａは従来この種の表皮片３、４の縫製用のもの（例えば最大径が１８番乃至２１番）を使用する。
【００１２】
以上のミシンによる表皮片３、４の送りのピッチＬは４ミリ以下が好ましく、それ以下にしても良いが、それ以上にすると後述する縫いの締まりが悪くなり、発泡液が漏出する虞れがある。
【００１３】
この各ミシン針Ａに通す上糸１Ａ、１Ｂは同一のもので、従来のこの種の縫製に使用する８番程度の径を有するポリエステル糸を使用する。
【００１４】
二本の上糸１Ａ、１Ｂが絡む下糸２は、従来この種の下糸と使用している前記上糸１Ａ、１Ｂと同一の太さのポリエステル糸で、この一本の下糸２に図３に示すように前記二本の上糸１Ａ、１Ｂが絡む。
【００１５】
なお、前記各表皮片３、４は、所定形状に裁断されており、前記織物、不織布、編物…などからなる表面材３１、４１と、この表面材３１、４１の内側に一体に有するスラブウレタンなどの発泡材３２、４２などから形成されている。
【００１６】
また、発泡材３２、４２の外面には、パッド成形用の発泡液の発泡材３２、４２内への含浸を防止するために、発泡材３２、４２の外面を加熱溶融して形成した皮膜３３、４３などの発泡液の不透過加工を施すか、又は部材が貼着されている。
【００１７】
図４は表皮片３、４を前記方法で接ぎ合わせた後、表面材３１、４１が外側になるように、即ち、各々の縫い代３０、４０が内側になるように矢印方向に折曲する状態を示す。
【００１８】
縫い代３０、４０を内側にして多数の表皮材（不図示）を接ぎ合わせて袋状に縫製してトリムカバーＡを形成し、その内部にフレームＣを装着した後、袋状のトリムカバーＤ内にパッドＥ成形用の発泡液を注入してパッドＥをトリムカバーＤと一体成形すると、図６に示す車両用シートのヘッドレストが製造される。
【００１９】
このヘッドレストは表皮片３、４の縫製用ミシン針Ａによる各針孔Ｈに二本の上糸１Ａ、１Ｂが挿込まれ、二本の上糸１Ａ、１Ｂで縫われる。ミシン縫いによる締りが強くなるため、縫い代３０、４０が内側になるように袋状に形成し、その内部に発泡液を注入して発泡した際、発泡液が接ぎ合わせ個所に浸透し難くなるし、また、二本の上糸で針孔Ｈを埋めて塞ぐ目止め部材となるので、針孔Ｈからの前記発泡液の外部への漏出を完全に防止できる。
【００２０】
なお、図５に示すものは表皮一体発泡製品としてヘッドレストを示すが、アームレストなどの表皮材の縫製方法にも最適に使用できる。
【００２１】
【発明の効果】
本発明に係る表皮一体発泡用表皮材の縫製方法によれば、従来のこの種の表皮材縫製用ミシンをそのまま使用して従来のミシン縫いでミシン針の針孔からの発泡液の漏出を防止できる縫製が可能となる。
従って、前記公知方法による縫製方法に対して、縫製作業が簡単になるし、材料費の増大を防止できる。
【図面の簡単な説明】
【図１】本発明に係る方法を示す部分斜視図である。
【図２】本発明に使用するミシン針に上糸を挿通した状態の斜視図である。
【図３】要部の断面図である。
【図４】図３に示す部分の断面図である。
【図５】本発明方法によって縫製した表皮材を使用して形成したヘッドレストの断面図である。
【符号の説明】
Ａ      ミシン針
Ｈ      針孔
１Ａ      上糸
１Ｂ      上糸
２      下糸
３      表皮片
４      表皮片
【図１】
2004174118.tif 000003
【図２】
2004174118.tif 000004
【図３】
2004174118.tif 000005
【図４】
2004174118.tif 000006
【図５】
2004174118.tif 000007
(57)【要約】【課題】円柱の底面が球面又は楕円球面をし、平面又は曲面と接する、球面又は楕円球面の接点で、ボトル等柱形状をした物体を、大きく揺れながら、バランスを保つロッキングホルダーを提供する。【解決手段】平面又は曲面の形状の上に、円柱の底面が球面又は楕円球面をした底面（１）の本発明を置き、ボトル等柱形状をした物体を載せるトレイ部（２）に、ボトル等柱形状をした物体を乗せ、指等で軽く押し、大きく揺れながらバランスを保せたり、トレイ部の外端に物体をのせ、物体を斜めにして固定しバランスを保せたりすることができることを特徴とする。【選択図】    図２
2004174175.tif 000002
【特許請求の範囲】
【請求項１】
円柱の底面が球面又は楕円球面をし、平面又は曲面と接する、球面又は楕円球面の接点で、ボトル等柱形状をした物体を、大きく揺れながら、バランスを保つロッキングホルダー。
【発明の詳細な説明】
【０００１】
【発明の属する技術分野】
この発明は、ボトル等柱形状をした物体を、大きく揺れながら、バランスを保つ為の、ロッキングホルダーに関するものである。
【０００２】
【従来の技術】
従来より、ロッキングチエアーがあった。
【０００３】
【発明が解決しようとした課題】
これは、次のような欠点があった。
イ、前後には、揺れながら、バランスを保つことは出来たが、前後左右四方八方に物体を揺れながら、バランスを保つことが出来なかった。
【０００４】
【課題を解決するための手段】
円柱の底面が球面又は楕円球面をし、平面又は曲面と接する、球面又は楕円球面の接点で、ボトル等柱形状をした物体を、大きく揺れながら、バランスを保つ為のロッキングホルダー。
本発明は、以上の構成からなるロッキングホルダーである。
【０００５】
【発明の実態と形態】
以下、本発明の実施と形態を説明する。
イ、円柱の底面が球面又は楕円球面をした底面（１）
ロ、ボトル等柱形状をした物体を載せるトレイ部（２）
本発明は、以上の構成によりなっている。
本発明を使用するときは、平面又は曲面の形状の上に、円柱の底面が球面又は楕円球面をした底面（１）の本発明を置き、ボトル等柱形状をした物体を載せるトレイ部（２）に、ボトル等柱形状をした物体を載せ、指等で軽く押し、大きく揺れながらバランスを保せたり、トレイ部の外端に物体をのせ、物体を斜めにして固定しバランスを保せたりすることができる。
【０００６】
【発明の効果】
本発明を使用することによって、ボトル等柱形状をした物体を大きく揺れながらバランスを保せたり、トレイ部の外端に物体をのせ、物体を斜めにして固定しバランスを保せたりすることができるので、遊具として使用したり、又、コンクリート舗装面等に真直ぐな板を置き、その上に本発明品と透明な円柱状の中に溶液を入れ、内容物の傾きにより水平斜度を詳細に測定することができ設計者の苦悩を解決する。又、本発明品を自動車の水平部分に置くことにより、急発進、急ブレーキ、急ハンドル等を運転者自らが確認自覚し交通安全運転の向上に寄与する。
【図面の簡単な説明】
【図１】本発明の斜視図
【図２】本発明の使用状態を示す斜視図
【図３】本発明の分解透視図
【符号の説明】
１  底面
２  トレイ部
【図１】
2004174175.tif 000003
【図２】
2004174175.tif 000004
【図３】
2004174175.tif 000005
(57)【要約】【課題】従来提案されている薬液等を付帯する綿棒体は、薬液等が包装された部分に圧力をかけて使用する際に、綿棒収納部に薬液等が必ず向かうとは限らないことや、薬液等が軸部まで浸すことがあることを解消して、薬液等を確実に綿球部のみに達しめること。【解決手段】綿棒Ａと薬液等Ｂを、気密性のあるボトム材１にそれぞれを納める凹部と、その収納部間を繋ぐ連結道３を設けて収め、表裏方向に折り曲げたり長編方向の軸回り方向に捻りが加わると剥れるような部分４を、連結道３に設けられるように、トップ材２を圧着し密閉包装し、使用時にトップ材２を取り剥すための切込５をボトム材１に施して、捻った際はその応力が連結道に集中せしめるように、収納部より幅を狭くする切り取り部６を設けている。【選択図】図１
2004174180.tif 000002
【特許請求の範囲】
【請求項１】
化粧や薬効効果のある液体もしくはそれ以外の液体と綿棒を液体を納める凹部と、綿棒の綿球部分は軸部分より深くかつ広くした綿棒を納める凹部を、気密性のあるボトム材に設け別々に収納し、表裏方向に折り曲げたり長辺方向の軸回り方向に捻りを加えると、剥れる程度に圧着された部分を持つ、その収納部間を繋げる連結道を施してトップ材を圧着密閉し、捻った場合捻りの応力が連結道に集中するように、液体や綿棒収納部より幅を狭くするために切り取り部が施された、液体付綿棒包装体。
【発明の詳細な説明】
【０００１】
【発明の属する技術分野】
本発明は液体付綿棒の包装体の構成に係るものであり、詳しくは化粧や薬効効果のある液体もしくはそれ以外の液体（以後単に薬液等と称する）を浸透させる綿棒を有効に利用できる包装体に関するものである。
【０００２】
【従来の技術】
従来、綿棒を用いて薬液等を含浸させて使用する場合は、綿棒をその薬液等に浸し染み込ませ使用したり、近年では薬液等を含浸させ個々に包装された濡れ綿棒や、本発明のようにそれぞれが別個に包装された実用新案登録第３０７７９８８号等のように、特開２００２−１５４５７７の発明のような包装部の間に圧着の弱い通路部分が設けられ、薬液等が封入された部分に圧力を加えると、その圧着の弱い通路部分を通じて、薬液浸透用材側に一気に押し出され含浸させる、薬液等を付帯する綿棒も提案されている。
【０００３】
【発明が解決しようとする課題】
従来提案されている濡れ綿棒は、含浸された薬液等が蒸散して、薬液等の粘性や濃度が変化したり、使用必要量が減少したり、更に蒸散した薬液等が軸に結露して使用時に手に付いたりすること。また薬液等を付帯する綿棒は、薬液等が包装された部分に圧力を加えた際、必ず綿棒側に向かうとは限らないことがあったり、薬液等が綿球部に達した際には、薬液を押し出した圧力は急激でしかも勢いよく収納量の殆どが送られるため、綿球の含浸速度を越え、軸部にまで浸すことがあった。従って、薬液等を確実に綿球部へ向かわせ、綿球の含浸速度に合わせた薬液等の量を押し出せるものが必要になった。
【０００４】
【課題を解決するための手段】
薬液等と綿棒を、気密性のあるボトム材に、液体を納める凹部と、綿棒の綿球部分を軸部分より深くかつ広くした綿棒を納める凹部を設けて別々に収納し、その収納部間に連結道を設け、表裏方向に折り曲げたり、長辺方向の軸回り方向に捻りを加えると、その応力で剥れる程度に圧着された部分を設けられるようにトップ材を圧着密閉し、トップ材を取り剥すため切込をボトム材に施し、捻って連結道を開通させる場合その応力を連結道に集中せしめるため収納部の幅より狭くなるように切り取られた部分を設けて包装する。
【０００５】
【発明の実施の形態】
実施例にもとづき図面を参照し説明する。
綿棒Ａと薬液等Ｂを、ボトム材１に図のように凹部を設け、綿棒Ａと薬液等Ｂを収めて、折り曲げたり捻ったりすると剥れる程度に圧着する部分４を持つ連結道３が施されるよう、トップ材２を圧着密閉し、トップ材２を取り剥すために切込５をボトム材１に施して包装し、捻りが連結道３に集中せしめるようＡＢ収納部より狭くなるよう切り取り部６を設ける。
【０００６】
綿棒Ａは基本的な綿球形の形で軸の片方のみ綿球のついた綿棒にて示したが、綿球形が尖り型のものや俵型等さまざまな使用目的に応じた形に成型して、それぞれ両方に綿球がついた綿棒とすることもでき、更に薬液等収納部も両方及び片方に設けることもでき得て、その形状も図のような円形状以外に方形や楕円形等さまざまな形状に成型することもできる。また、使用時にトップ材２を取り剥すための切込５は、ボトム材１の両側に設けることもでき、切り取り部６の形状は半円形でもＶ型等他の形状にすることもできる。なお図では１個包装体のみで示したが、個々を切込を施し繋ぎ連続させて製造する。以上、本発明は綿棒を主体に記述したが、綿棒以外の薬液等浸透用材を用いて包装することもできる。
【０００７】
【発明の効果】
従来提案されている濡れ綿棒と比べ、薬液等が包装内で蒸散せず、綿棒の軸に薬液等が結露して手に付くことがなく、薬液等の濃さ、粘性、量の変化もない。また、従来の薬液等を付帯する綿棒体のように、薬液等を一気に綿棒部に圧送するのでなく、まず連結道を開通させて、次に綿球部に薬液等を送るので、その流量や圧力も加減しえて、綿球部分は軸部分より深くかつ広いことも手伝って、綿球部のみに薬液等を送ることができ、薬液等が軸部を浸すことがなくなり、製造の際は、折り曲げたり捻ったりすると剥れる程度に連結道を横断して圧着する部分は、圧着幅を調整して他の圧着部分と同程度の強さで圧着するので、一工程で圧着できる。また、ボトム材の凹部に薬液等と綿棒が収まるため、連続的に多量生産できる。
【図面の簡単な説明】
【図１】液体付綿棒包装体の底面図
【図２】図１の正面図
【図３】図２の左側面図
【図４】図２の右側面図
【符号の説明】
Ａ  綿棒
Ｂ  薬液等
１  ボトム材
２  トップ材
３  ＢをＡの綿球部に送る連結道
４  連結道を横断して圧着する部分
５  １に施された切り込み
６  捻った場合、捻りの応力を３に集中させるため切り取られた部分
【図１】
2004174180.tif 000003
【図２】
2004174180.tif 000004
【図３】
2004174180.tif 000005
【図４】
2004174180.tif 000006
(57)【要約】      （修正有）【課題】永久磁石に剛球を附着させ、磁気を帯びた剛球をツボに押し当てて転がすマッサージ器具において、剛球を転がし、単に筋肉の凝りをほぐし血流をよくするというのではなく、マッサージ効果を向上させるマッサージ器具を提供する。【解決手段】剛球１を磁化させて磁気治療の効能を付加し、剛球１を円形の永久磁石２に吸着させ、これを木柄３の先に組み込み、木柄３を握って転がす。球体を足で踏み転がす場合、剛球４個を永久磁石３で吸着結合した形態にして、感触よくスムーズに転がるようにする。剛球には磁気を帯びさせ治療効果を向上させることも可能である。そのために、強力な永久磁石３の両極に大形剛球１を吸着させ、さらに、このものよりも小さめの小形剛球２を両側に吸着させた４角形の結合体にする。【選択図】なし【特許請求の範囲】
【請求項１】
（１）永久磁石のＮ極、Ｓ極、いずれかに吸着性のある鋼球などを吸着させ、球体に磁気を帯びさせる。
2004174193.tif 000009
【請求項２】
（２）永久磁石のＮ、Ｓ両極に、同様に鋼球などを吸着させ、この鋼球などに接触した状態で、左右に第３、第４の鋼球などを吸着させる。
こうした球体の吸着形態は図面に示したとおりであり、強力な吸着力によって安定した形態が保たれる。
2004174193.tif 000010
る磁気の治療効能が付加された、ツボにこの球体を当てて転がすマッサージ器具。
【発明の詳細な説明】
（１）従来の技術
2004174193.tif 000002
されていて、球体を転がしても保持され逃げない構造になっている。
2004174193.tif 000003
方式のものとしては、直径約３３ｍｍの硬質プラスチック製の球体で、イボイボの突起物が全面に付いた形状のものがある。足で踏み転がして逃げる恐れは少ないが、振動して快適には転がらない。
（２）発明が解決しようとする課題と解決手段、及びその結果のもたらす作用、効果。
2004174193.tif 000004
当て転がして筋肉の凝りをほぐし、血液の循環を良くするのではなく、永久磁石の選定で、鋼球の表面磁束密度が［厚生労働省告示の家庭用永久磁石磁気治療基準［３５〜２００ミリテスラ（ｍＴ）］になるようにして、磁石による治療の効能を付加させることが可能である。また、鋼球は強力に附着され球体の大部分が露出しているので、球体の側面を押し当てて転がすことも可能であり重宝である。
製作費は機構が簡単なだけに安い。
2004174193.tif 000005
もって結合しているので、足で踏みスムーズに自由自在に転がる。
2004174193.tif 000006
せることも可能である。
制作費については加工を必要としない市販品の単なる組合せに過ぎず安い。
（３）実施例
2004174193.tif 000007
はベアリングのボール（直径１４〜２０ｍｍ）を使用する。永久磁石は円形のフェライト製、もしくは、ネオジウム製で磁束密度が１３０〜１５０ｍＴのものを用いる。
2004174193.tif 000008
２７ｍｍ、二つの小形球の方は直径約２０ｍｍが適切であり、永久磁石は円形のフェライト製、もしくはネオジウム製（吸着力１５００〜３０００ｍｇ、磁束密度３００〜４００ｍＴ）を用い、鋼球は強力に吸着される。
【図面の簡単な説明】
（マグネット・ボールマッサージ器具）
2004174193.tif 000011
【手続補正書】
【提出日】平成15年3月20日(2003.3.20)
【手続補正１】
【補正対象書類名】明細書
【補正対象項目名】図面の簡単な説明
【補正方法】変更
【補正の内容】
【図面の簡単な説明】
【図１】
2004174193.tif 000012
【図２】
2004174193.tif 000013
【符号の説明】
（１）  鋼球２０ｍｍφ
（２）  永久磁石（２０ｍｍφ×２．０ｍｍ）
（３）  木柄
（４）  大型鋼球（２７ｍｍφ）
（５）  小型鋼球（２０ｍｍφ）
（６）  永久磁石（１０ｍｍφ×５ｍｍ）


【手続補正２】
【補正対象書類名】図面
【補正対象項目名】全図
【補正方法】変更
【補正の内容】
【図１】
2004174193.tif 000014
【図２】
2004174193.tif 000015
【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
永久磁石のＮ極、Ｓ極、いずれかに吸着性のある鋼球など（以下鋼球と記す）を吸着させ、球体に磁気を帯びさせる。（以下このものを▲Ａ▼と記す）
【請求項２】
永久磁石のＮ、Ｓ極に、それぞれ鋼球を同様に吸着させる。この鋼球に接触した状態で、左右に第３、さらには、第４の鋼球を吸着させる。
また、あるいは第３の鋼球のみを、追加した第２の永久磁石で吸着させることにより、３個の鋼球を数珠状に連結吸着させる。
こうした球体の吸着形態について、最初のものは図面に示したとおりであり、これらは、永久磁石の強力な吸着力によって、球体の自由自在な回転に対して安定した形態が保たれる。
３個の球体の数珠状の結合では、永久磁石をＮ極、Ｓ極、及びＳ極、Ｎ極の順にして、中間に位置する球体の磁気密度（計量単位ミリステラ、ｍＴ）を大きくする。（以下このものを▲Ｂ▼と記す）
▲Ａ▼、▲Ｂ▼共に、各球体の大きさは任意に変えることはできる。
▲Ａ▼の場合は、すべてのツボ（神経反射ゾーン）に球体を押し当て、また、▲Ｂ▼の場合は、足裏のツボに対し、足で踏み自由自在に転がして使用する。
上記▲Ａ▼、▲Ｂ▼のように、永久磁石による球体の吸着形態からなり、なおかつ、球体が帯びた磁気の治療効能が付加された球体を、ツボに押し当てて自由自在に転がすことのできるマッサージ器具。
(57)【要約】【課題】仰向に寝る時は、中央枕を使い横向きに寝る時は、右側枕又は左側枕を使う、各々の枕の中身の高さを調整することにより最っとも合った枕の高さにすることにより、快眠出来る枕を提供する。【解決手段】谷板（１）を谷板筒カバー（２）に入れ谷板筒カバー（２）に取付た右側枕横帯（４）と右側枕横帯マジックテープ（６）と右側枕横帯止めマジックテープ（７）と、右側枕縦帯（８）と、右側枕縦帯マジックテープ（９）と、右側枕縦帯止めマジックテープ（５）で右側枕の中身（３）、を包む。中央枕（１３）と左側枕（１４）も、右側枕（１５）と同様に枕の中身を包み込むことを、特徴とする。【選択図】  図１
2004174198.tif 000002
【特許請求の範囲】
【請求項１】
谷板（１）を谷板筒カバー（２）に入れ、谷板筒カバー（２）に取付けた右側枕横帯（４）と右側枕横帯マジックテープ（６）と右側枕横帯止めマジックテープ（７）と右側枕縦帯（８）と右側枕縦帯マジックテープ（９）と右側枕縦帯止めマジックテープ（５）の中に右側枕の中身（３）を包む。中央枕（１３）と左側枕（１４）も右側枕（１５）と同様に包んだ、谷板三点枕。
【発明の詳細な説明】
【０００１】
【発明の属する技術分野】
この発明は、谷板を谷板筒カバーの中に入れ縦帯と横帯により枕の中身の高さ調整をして包むことの出来る、谷板三点枕に関するものである。
【０００２】
【従来の技術】
従来、枕の高さが決っていて、簡単に高さを変更することが出来なかった。
【０００３】
【発明が解決しようとする課題】
（イ）仰向けに寝る時に枕の高さが合っていても横向になった時、枕の高さが合わず肩や首に負担がかかる。
【０００４】
【課題を解決するための手段】
谷板（１）を谷板筒カバー（２）に入れ谷板筒カバー（２）に取付た右側枕横帯（４）と右側枕横帯マジックテープ（６）と右側枕横帯止めマジックテープ（７）と右側枕縦帯（８）と右側枕縦帯マジックテープ（９）と右側枕縦帯止めマジックテープ（５）の中に右側枕の中身（３）を包む。
中央枕（１３）と左側枕（１４）も右側枕（１５）と同様に包み構成される谷板三点枕です。
【０００５】
【発明の実施の形態】
右側枕の中身（３）及び中央枕の中身（１１）及び左側枕の中身（１２）の高さの切減が横帯及び縦帯のマジックテープによることにより簡単に高さの調整を自分で出来ることにより、快眠出来る。
【０００６】
【実施例】
以下本発明の実施例について説明します。
（イ）谷板（１）を谷板筒カバー（２）に入れ谷板筒カバー（２）の右側枕の中身（３）を右側枕横帯マジックテープ（６）と右側枕横帯止めマジックテープ（７）で包み、さらに右側枕縦帯マジックテープ（９）と右側枕縦帯止めマジックテープ（５）で包み右側枕（１５）の出来上り。
（ロ）中央枕（１３）及び左側枕（１４）も右側枕（１５）と同様の方法で作成する以上のような構造で仰向に寝る時は、中央枕（１３）を使い横向に寝る時は右側枕（１５）又は（１４）を使い、各々の枕の中身の高さを自分に合った高さにすることが出来るので快眠出来る。
【０００７】
【発明の効果】
中央枕（１３）及び左側枕（１４）及び右側枕（１５）の各々の枕の高さを自分で調整出来ることで肩や首への圧力の負担をへらし快眠出来る。
【図面の簡単な説明】
【図１】本発明の斜視図である。
【図２】本発明の横、断面図である。
【図３】本発明の谷板筒カバーの縦帯と横帯の、展開図である。
【符号の説明】
１  谷板
２  谷板筒カバー
３  右側枕の中身
４  右側枕横帯
５  右側枕縦帯止めマジックテープ
６  右側枕横帯マジックテープ
７  右側枕横帯止めマジックテープ
８  右側枕縦帯
９  右側枕縦帯マジックテープ
１０  中央枕横帯止めマジックテープ
１１  中央枕の中身
１２  左側枕の中身
１３  中央枕
１４  左側枕
１５  右側枕
【図１】
2004174198.tif 000003
【図２】
2004174198.tif 000004
【図３】
2004174198.tif 000005
(57)【要約】【目的】この発明は腰掛部に排泄口を設けた車いすの水密ポットに関するものである。【構成】（イ）水密ポットは傾斜つき押え金７及び８を熔着した桁２をフランヂ３に熔着し蓋４を挿着する構造のものである。（ロ）車いすの排泄口側部のビーム１０１に熔着した案内滑板１２及び案内滑板１３のフランヂにより水密ポットは支持されるものである。【選択図】  図１
2004174197.tif 000002
【特許請求の範囲】
【請求項１】
（イ）水密ポットは傾斜つき押え金７及び８を熔着した桁２をフランヂ３に熔着し蓋４を挿着するものである。
（ロ）蓋４の下面全周にラバーパッキン５を固着し上面には連続楔６及び２２を熔着してポット１の後部より蓋４を挿着すると水密になる。連続楔２２の中央部に取っ手１１を設ける。
（ハ）水密ポットの中性軸の上部に主軸１０を設ける。
以上の如く構成された排泄口を設けた車いす用水密ポット。
【請求項２】
（イ）水密ポットを車いすの後部から挿入するとフランヂ３は案内滑板１３のフランヂに誘導され排泄口の真下で定止して案内滑板１３のフランヂで支持されるので蓋４及びポット１を別々に取りつけ取りはずしは自在である。
（ロ）案内滑板１２に水密ポットの中性軸の位置迄開口２１を穿きその位置に主軸１０が落ち込む凹部を設ける。
（ハ）案内滑板１２及び１３にのみ取りつけたヒンヂ１５の中央ブラケットを排泄口側部のビーム１０１に熔着する。両側の案内滑板１３に出し入れ自在のハンドル１８を取りつけ夫々右及び左側に９０度回動出来る。
以上の如く構成された水密ポットの取りつけ装置。
【発明の詳細な説明】
【０００１】
〔産業上の利用分野〕
この発明は排泄口を設けた車いすの水密ポットに関するものである。
【０００２】
〔従来の技術〕
（イ）従来のポットはポータブルトイレに設置するもので車いすに関するものはない。
（ロ）排泄口を設けない車いすはポットを取りつけられる構造のものでなくポットを取りつける配慮がなかった。
【０００３】
〔発明が解決しようとする課題点〕
（イ）散策時生理現象を起こした時直ぐ様即応出来る様にするもので、車いすの排泄口の真下に水密ポットを挿着し蓋４を引きだし車いすの腰掛用シートカバーを右又は左側に手繰り寄せるとポット１が出現し腰掛けたまま排泄出来る様にするものである。
（ロ）フランヂ３の上面に傾斜した押え金７を熔着した桁２をヒンヂ２３の位置よりポット１の前端から３／４迄熔着しヒンヂ２３より前部桁２は後部に回転出来る様にする。
（ハ）桁２はポット１の両側３／４迄とし桁２の中央先端部には長方形の穴２０を穿った突出部を設けフランヂ３の先端部を切り欠く。
（ニ）桁２のない後部には傾斜つき押え金８の両端を傾斜つき押え金７に熔着する。
【０００４】
〔課題を解決するための手段〕
（イ）水密ポットは傾斜つき押え金７及び８を熔着した桁２をフランヂ３に熔着し蓋４を挿着するものである。
（ロ）蓋４の下面全周にラバーパッキン５を固着し上面には連続楔６及び２２を熔着してポット１の後部より蓋４を挿着すると水密になる。尚連続楔２２の中央部に取っ手１１を設ける。
（ハ）水密ポットの中性軸の上部に主軸１０を設ける。
（ニ）水密ポットは車いすの後部より挿入すると案内滑板１３のフランヂに誘導され排泄口の真下で定止して案内滑板１３のフランヂで支持されるので蓋４及びポット１を別々に取りつけ取りはずしは自在である。
（ホ）案内滑板１２に水密ポットの中性軸の位置迄開口２１を穿きその下部に主軸１０が落ち込む凹部を設ける。
（ヘ）案内滑板１２、及び１３にのみ取りつけたヒンヂ１５の中央ブラケットを排泄口側部のビーム１０１に熔着する。両側の案内滑板１３に出し入れ自在のハンドル１８を取りつけ夫々のハンドルは右側及び左側に９０度回動出来る。
【０００５】
〔作用〕
本発明は以上の様な構造になつているのでこれを使用するときは
（イ）散策時に排泄口の真下に水密ポットを挿着する。
（ロ）蓋４を引きだし車いすの腰掛用シートカバーを右又は左側に手繰り寄せるとポット１を出現させる。
【０００６】
〔実施例〕
本発明の実施に当って次の如きことが出来る。
（イ）蓋４を引きだし車いすの腰掛用シートカバーを右又は左側に手繰り寄せるとポット１が出現するので腰掛けたまゝ排泄出来る。
（ロ）排泄後蓋４を挿着すると水密となり悪臭も排泄物の流出もない。
（ハ）ハンドル１８を作動すると水密ポットは案内滑板１２により主軸１０が支持され車いすが前後に傾斜しても主軸１０の回動により水平を保つ。
【０００７】
〔発明の効果〕
したがって散策時生理現象を起こしても直ぐ様要望に即応出来るものである。
【図面の簡単な説明】
【図  １】本発明の平面図
【図  ２】図１及び図５の側面図
【図  ３】図１及び図９の中心線断面図
【図  ４】図１及び図９の中央横断面図
【図  ５】傾斜つき押え金平面図
【図  ６】Ａ−Ａ  矢視図
【図  ７】Ｂ−Ｂ  矢視図
【図  ８】桁２の先端突出部の詳細図
【図  ９】蓋平面図
【図１０】蓋側面図
【図１１】蓋の中心線断面図
【図１２】蓋の中央横断面図
【図１３】案内滑板１２及び１３の平面図
【図１４】案内滑板１２の側面図
【図１５】案内滑板１３の側面図
【図１６】ポットと案内滑板１２及び１３との取り合詳細図
【図１７】ハンドル１８の誘導図
【符号の説明】
１はポットの本体。
２は傾斜つき押え金を熔着する桁。
３はポット本体のフランヂ。
４はポットの蓋。
５は蓋に固着するラバーパッキン。
６は蓋に熔着する連続楔。
７は桁に熔着する傾斜つき押え金。
８はポット後部の傾斜つき押え金。
９は桁のリブ。
１０はポットの主軸。
１１は蓋の取っ手。
１２は案内滑板。
１３は案内滑板。
１４は案内滑板１２及び１３の取りつけ金具。
１５はヒンヂ。
１６は案内滑板１２の開口部の弯曲補強材。
１７はハンドル収納筒。
１８はハンドル
１９はハンドル誘導丸棒。
２０は桁の前端部の突出部に穿った穴。
２１は穴２０の楔。
２２は蓋の後部に熔着した連続楔。
２３は前部桁２を回動させるためのヒンヂ。
１０１は腰掛の排泄口側部のビーム。
１０２は車いすの腰掛部のビーム。
【図１】
2004174197.tif 000003
【図２】
2004174197.tif 000004
【図３】
2004174197.tif 000005
【図４】
2004174197.tif 000006
【図５】
2004174197.tif 000007
【図６】
2004174197.tif 000008
【図７】
2004174197.tif 000009
【図８】
2004174197.tif 000010
【図９】
2004174197.tif 000011
【図１０】
2004174197.tif 000012
【図１１】
2004174197.tif 000013
【図１２】
2004174197.tif 000014
【図１３】
2004174197.tif 000015
【図１４】
2004174197.tif 000016
【図１５】
2004174197.tif 000017
【図１６】
2004174197.tif 000018
【図１７】
2004174197.tif 000019
(57)【要約】【課題】鍋の柄を３６０度随意に着脱を可能にし、片手鍋用と両手鍋用の２通りの柄を使い分け兼用の鍋とし、柄を随意に着脱を可能し数を少なくし、片付収納場所減少と利便を計った兼用鍋【解決手段】鍋外側３６０度にアリ型の金具を取り付け、金具をスライドするツメと固定のツメを有する専用の柄にもうけた着脱用のレバーにて鍋外側のアリ型金具をはさみ固定開いて外せ片手鍋用と両手鍋用の２通りの柄を使い分ける事で兼用とした鍋と柄【選択図】図２
2004174188.tif 000002
【特許請求の範囲】
【請求項１】
鍋外側３６０度にアリ型の金具を取り付け、片手鍋と両手鍋の２通りの柄を使い分け金具をはさみ固定し３６０度着脱を随意にした兼用鍋と柄である
【発明の詳細な説明】
【０００１】
【発明の属する技術分野】
本発明は鍋外側３６０度に柄着脱用のアリ型金具を取り付け、専用の柄をもちいて鍋外側の金具をはさみ着脱用のレバーにて固定するものである。柄には片手鍋用と両手鍋用の２通り有り用途に応じて使い分けることで兼用鍋と
した。
【０００２】
【従来の技術】
従来の鍋でも柄の着脱が可能な鍋も市販されている。但しこれらは、
（イ）鍋が片手鍋と両手鍋に分かれて２通りの鍋が必要
（ロ）片手鍋の場合柄の取り付けが鍋上側縁を内外ではさみ固定するために内側にキズも付きやすく、変形もしやすい。フタも専用を必要とし衛生面にも問題を有する。
（ハ）片手鍋の柄着脱が鍋の近くに有り使用中の取り外しがむつかしい。
【０００３】
【発明が解決しようとする課題】
本発明は前述の従来技術における問題点を鍋外側３６０度に柄の着脱用アリ型金具を取り付け金具をはさみ着脱を可能とし、片手鍋用両手鍋用２通りの柄を使い分けすることで兼用鍋とし解決しようとするものである。
【０００４】
【問題を解決しようとする手段】
図面に基づいて説明する。
図１に示す様に鍋外側３６０度に柄着脱用のアリ型金具を取り付け、図４に示す柄をもちいて着脱レバー（７）にてはさみ固定着脱を可能にし図６に示す両手鍋用の柄２通りを使い分けることで解決している。
【０００５】
【発明の実施形態】
この発明の兼用鍋は鍋外側３６０度に取り付けた柄着脱用のアリ型金具をつかみ固定する様にしたことで随意に着脱を可能にし柄も片手鍋と両手鍋用の２通りの柄を用途に応じて使い分け兼用鍋としたものである。鍋材質も金具を別に取り付けたことでとわない。
【０００６】
【実施例】
図１に示す様に鍋外側３６０度に取り付けたアリ型金具を図４に示した柄着脱用のツメスライド側（６）を着脱用レバー（７）にて固定ツメ（５）の間にはさみストッパー（１０）にて固定し鍋に取り付け、開いて取り外しが出来柄の着脱を随意にした兼用鍋と柄である。
【０００７】
【発明の効果】
（イ）鍋外側３６０度に柄着脱専用金具を取り付け随意に柄の着脱が可能な片手鍋と両手鍋の兼用とした。
（ロ）柄を片手鍋と両手鍋２通りに使い分けることで鍋の数が少なくて済む。
（ハ）柄の着脱用レバーの固定部が外側に有り使用中も着脱可能。
【図面の簡単な説明】
【図１】本考案実施例１を示す斜視図
【図２】図１におけるＡ−Ａ線断面図
【図３】本考案鍋の柄平面図
【図４】図３におけるＢ−Ｂ線断面図
【図５】アリ型専用金具鍋取り付け断面図
【図６】両手鍋用柄斜視図
【符号の説明】
１    鍋本体
２    アリ型金具
３    取り付け鋲
４    専用柄本体
５    固定ツメ側
６    ツメスライド側
７    板バネ式着脱レバー
８    ピン
９    ピン
１０  ストッパー
【図１】
2004174188.tif 000003
【図２】
2004174188.tif 000004
【図３】
2004174188.tif 000005
【図４】
2004174188.tif 000006
【図５】
2004174188.tif 000007
【図６】
2004174188.tif 000008
(57)【要約】【目的】全自動洗濯機本体内部に貯水槽を設け、最終すすぎ洗いで使用した水を、そこに溜め置きし、次の洗濯の時にそれを使用し、大幅な水の節約を計る。【構成】洗濯槽（２）を除く本体（１）内の空洞部に、最終すすぎ洗いで使用した水を再利用するための貯水槽を設けた全自動洗濯機。【選択図】    図１
2004174182.tif 000002
【特許請求の範囲】
【請求項１】
図１に示す様、洗濯槽（２）を除く本体（１）内部に、最終すすぎ洗いに使用した水を、再利用するための貯水槽（４）を設けた全自動洗濯機のシステム。
【発明の詳細な説明】
【０００１】
【産業上の利用分野】
本発明は、最終のすすぎ洗いに使用した水を即座に排水せず  本体内部に設ける貯水槽にそれを残し、次に行う洗濯の洗剤洗いのさいの水として再利用し、大幅な節水を可能とする全自動洗濯機に関するものである。
【０００２】
【従来の技術】
これ迄、全自動洗濯機で洗濯をした場合、最終で使用されるすすぎ洗いの水は、排水及び脱水によって、そのまま捨てられていた。
【０００３】
【発明が解決しようとする課題】
本発明は、最終のすすぎ洗いに使用した水を、再利用しようとするものである。
【０００４】
【課題を解決する為の手段】
全自動洗濯機の本体（１）内の空洞部に、貯水槽（４）を設け、最終のすすぎ洗いに使用したたこれまでの捨て水を、自動的にこの貯水槽（４）に溜め込むようにする。
【０００５】
【作用】
最終すすぎ洗いの水を貯水するよう自動セットしておくことによって、その使用後の水を、貯水槽に溜め込むことが出来る。
【０００６】
【実施例】
以下、本発明の実施例をのべる。
洗濯槽（２）を除く、本体（１）内の空洞部に貯水槽（４）を設け、操作ボタンをセツトしておくことによって、最終すすぎ洗いに使用した水が、自動的にこの貯水槽（４）に送り込まれるようにするもので、その次に新たに行う洗剤等を使用しての洗濯の時に、操作ボタンをセツトすることによって、貯水槽（４）に溜められていた最終すすぎ洗いに使用した水を、自動的に洗濯槽（２）内にポンプ送りし、使用出来るようにする。
【０００７】
【発明の効果】
本発明によって、従来、一度の使用で捨てられていた、比較的奇麗な最終すすぎ洗いの水が、次の洗剤使用等の洗濯に再利用されることによって、水道水の使用が大幅に節約出来る。
【図面の簡単な説明】
【図１】本発明の上面略図
【符号の説明】
１  本体
２  洗濯槽
３  蓋
４  貯水槽
【図１】
2004174182.tif 000003
(57)【要約】【課題】自転車やバイクで釣竿を運搬する方法では従来では体と一体化する方法がなかったが、リュックサックと釣竿ケースとを一体型とすることにより重量的に楽でしかも安全に運搬できる釣道具を提供する。【解決手段】リュックサックの入口から図１の２の如く釣竿ケースを貫かせ、リュックサックの底部図２の４の穴開けの周囲と釣竿ケースとをミシンがけをして一体型として楽で安全に運搬できるようにする。【選択図】  図１
2004174190.tif 000002
【特許請求の範囲】
【請求項１】
従来のリュックサックの底に穴を開け、その穴にリュックサックの口より釣竿入れの袋を貫かせて、その貫かせを適宜の長さを計りリュックサックの底の内側又は外側から縫いつけて一体型としたひとつの釣道具。
【発明の詳細な説明】
【０００１】
【発明の属する技術分野】
本発明は、従来の釣竿入れの片方の肩かけによる重量にかかる重さの解消と長物の運搬中の不安定さを解消するために改良されたものである。
【０００２】
【従来の技術】
従来は、リュックサックと釣竿入れとが一体となった釣り道具はなかった。
【０００３】
発明が解決しようとする課題
釣竿入れのケースは片手通しの肩かけのためバイクや自転車で運搬するとき車体と平行に結えたり塩化ビニールパイプを立てて結びつけてそのパイプの孔に釣竿を刺し立てて入れたりして独自の工夫を凝らさねば運搬できなかった。また釣船に乗り下りするとき、または荒磯で船に乗り下りするときと、特に波が高くなったとき船が波で上下する中でタイミングを計って船に飛び乗らねばならなかった。そのとき片手通しの肩かけの釣竿入れのケースでの運搬は体のバランスも良くなく片手が死んでいてその体でアイスボックスなどを空いた手で持ちかかえながら上船しなければならなかったが、そのことは危険この上ないことであった。本発明はこの課題を解消するためになされたものである。
【０００４】
【課題を解決するための手段】
図１のリュックサック４に竿収納袋２及び３の形で貫かせて図２のリュックサック底部４と竿収納袋底の外側を縫糸１によって縫いつけて一体型とし、従来のリュックサックの物を入れる機能を保ちつつ同時に釣竿を運搬できるようにした。
【０００５】
【発明の実施の形態】
以下、発明の実施の形態について説明する。
リュックサック４の底部に穴を開け竿収納袋をリュックサック入口から差し込みリュックサックの底を貫かせ適宜の長さを計りリュックサックの底の内側又は外側から図２の１のごとく縫糸で縫いつける。
【０００６】
【発明の効果】
従来の釣竿ケースでは片方の肩かけ方式であったため自転車やバイクでの運搬は人それぞれに工夫して、車体に何等かの方法で取りつけていたが、リュックサックによる肩にかつぐ方式で同時に釣竿をかつげる一体型としたために運搬が楽である。
【図面の簡単な説明】
【図１】本発明の平面図である。
【図２】本発明のリュックサックと釣竿ケースとを縫合せて一体型とした下面図である。
【図３】本発明の自転車で運搬している実施図である。
【符号の説明】
【図１】
１  釣竿
２  竿収納袋  後
３  竿収納袋  前
４  リュックサック
【図２】
１  縫糸
２  竿収納袋底の外側
３  リュックサック  下部
４  リュックサック  底部
【図３】
１  リュックサック
２  竿収納袋
【図１】
2004174190.tif 000003
【図２】
2004174190.tif 000004
【図３】
2004174190.tif 000005
(57)【要約】【課題】飼育の非常に難しい天然のクリオネや竜の落とし子ではなく、水中模擬生物を利用して人間の心の癒し効果のあるものを提供するものである。【解決手段】略球形１の底部２に重り部を設け、蓋部３は球形１にねじ込みでシール材４を入れて封入する水槽とする。水中模擬生物５と水は蓋部より出し入れする。更にブランコ型架台２１に水中模擬生物水槽１を載置し，揺動させればかなり長い時間模擬生物を遊泳させることができる．【選択図】      図１
2004174181.tif 000002
【特許請求の範囲】
【請求項１】
重力に対して垂直に浮力する水中模擬生物を略球形に形成する水槽に遊泳させるこことを特徴とする水中模擬生物遊泳水槽。
【請求項２】
重力に対して略垂直に浮力遊泳する水中模擬生物をクリオネとし、略球形の水槽底部に重りを設け、水槽上部には水槽内に出し入れと密閉可能な蓋を設けたことを特徴とする水中模擬生物遊泳水槽。
【請求項３】
ブランコ型の架台に水中模擬生物水槽を載置したことを特徴とする請求項１又は請求項２記載の水中模擬生物遊泳水槽。
【発明の詳細な説明】
【０００１】
【発明が属する技術分野】
本発明は、水中模擬生物を略球形をした水槽内で、水槽を揺らしたり傾斜させたりすることによって、水槽内の水中模擬生物クリオネがあいらしく遊泳するすることによって人間の癒し効果を発生させる水中模擬生物水槽に関する。
【０００２】
【従来の技術】
近代のストレス社会において、人間には癒しへの関心が非常に高まっている。水槽内に天然のクラゲ、竜の落とし子の飼育も行われるようになったが、流氷の下にいるクリオネを水槽で飼育することは極めて難しい。これを水槽内に模擬生物を遊泳させ、天然のものに代替し癒しに供することにより、近代のストレス解消と癒し効果に役立たせる低コストものが望まれている。
先願については、特開２００２−１１９７６７に開示されている。
【０００３】
【発明が解決しようとする課題】
心の癒しの効果のあるものであれば、飼育の極めて難しい天然のクリオネ、竜の落とし子ではなく、餌をやらなくても温度管理など必要のない水中模擬生物を水槽内で遊泳させれば、癒し効果は十分に可能である。
開示されている従来の水中模擬生物を遊泳させるためのものは、小型水中ポンプを利用して水流を発生させて強制遊泳させたものである。これらは特定の場所に設置するしかなく、簡単に設置場所が移動できない不便さがある。
これを場所の移動が容易な球形を形成した水槽の中に、可愛いクリオネなどの水中模擬生物を略垂直に遊泳する模擬生物がいれば、略球形水槽を傾斜させたり、球形水槽を揺らしたりでき、それによって水中模擬生物はゆらりゆらりと静かに揺れ動く。水中の可愛い模擬生物のゆらりゆらりを見ると、癒し効果が発生するものを提供するものである。
また本発明は水槽以外には、水中ポンプ等の付属物が不要であり、低コストでユーザーに提供することが可能である。
【０００４】
【課題を解決するための手段】
上記の課題を解決するため、下記の手段をとるものである。まず、水中模擬生物は軟質の塩化ビニール、ナイロン等のプラスチック材料で浮力体とし、重力に対して略垂直にしかも水面近くに浮力するように、水中模擬生物のクリオネ等の頭部に浮き効果のある発泡材等を取付け、尾部には浮力体より若干比重の重い材料を調整しながら接着等で取り付ける。模擬クリオネは可愛いオレンジ、又は赤等で色つけをする。水槽については、略球形とし底部に常に垂直になるようにバランス用の重りとなる部分を形成し、球形水槽の上部には、水及び水中模擬生物が出し入れできる密閉可能な蓋を設ける。水中模擬生物クリオネの他に小魚も１匹または数匹泳がせて楽しむこともできる。
更に略球形水槽をブランコ型の架台に載置して水槽を振れば、揺動時間が長くなり、癒し効果を持続させることが可能である。
【０００５】
【発明の実施の形態】
発明の実施の形態を実施例に基づいて図面を参照して説明する。
図１において１は略球形水槽、２は底部の重り部、３は蓋部、４は蓋のシール部、５はクリオネ等の水中模擬生物を示す。１の水槽の、２底部は厚さを増して形成し、又重りを付加して球形水槽が重力によって常に安定した状態に位置する。３の蓋は水槽の水や水中模擬生物の出し入れに使用する。本品を使用する時は、球形水槽の水量は約８０％程度入れて使用する。球形水槽１と蓋３との嵌合はねじ式、又蓋３を水槽に嵌入とし、４のシール材を取付け、水槽が転倒しても水漏れがしないように形成する。水中模擬生物クリネオ等は重力に対し、ほぼ垂直に立ち水面近くに浮力するように形成されているので、球形水槽を運んだり、あるいは枕元に置いて軽く球形水槽に触れると、球形水槽はゆらりゆらりと動き、それに伴い水槽内の模擬生物はゆらりゆらりと愛らしく遊泳する。この水槽内のクリオネの動きを見ると、あたかも母親の胎内にいるような気持ちになり、やすらぎと癒しの効果が発生する。
図２において、一対の架台２１の通し軸２２に、水槽１を安定させる水槽載置台２４を吊り下げ用棒２３ａ、２３ｂを通して吊り下げる。これを使用する時は架台２４に形成した凹みに略球形の水槽を載置し、架台を振り子のように振れば、スムーズに振り子運動をしばらくの時間継続することができる。なお通し軸２２と吊り下げ棒２３ａ、２３ｂとの嵌合部はベアリング付きにすれば、よりスムーズに揺動を続けることができる。また、架台ごと運搬することが容易であり、自分の好きな位置に移動して使用することができる。なお略球形を卵形とすることもできる。
【０００６】
【発明の効果】
球形水槽はどこの部屋でも自由に持って行くことができ、目の届くところに置くことができる。枕元に置いて、水槽に水中模擬生物クリオネや小魚を１匹、また複数匹の小魚を入れて水槽を揺らせれば、水槽の水が揺れるに伴い水中模擬生物クリオネ等が、やさしくゆらりゆらりと動き、又、小魚の可愛らしい動作を眺めることによって精神的に癒される効果がある。水中で動く模擬生物を眺めていると、丁度母親の胎内にいるのと同じ安心感があり、癒し効果が増幅される効果がある。
【図面の簡単な説明】
【図１】本発明の実施例１の略正面図である。
【図２】本発明の実施例２の略正面図（ａ）と略側面図（ｂ）である。
【符号の説明】
１    略球形水槽
２    底部
３    蓋部
４    シール材
５    水中模擬生物
２１    架台
２２    通し軸
２３ａ  吊り下げ棒
２３ｂ  吊り下げ棒
２４    吊り下げ架台
２５    連結材
【図１】
2004174181.tif 000003
【図２】
2004174181.tif 000004